(57)【要約】【課題】溶接面の立体形状を軽量小型化して、狭隘な場所での溶接作業を可能とし、移動に制限を受けることなく、重いために頭や首に負担を掛けず、逆さ状態での作業でも溶接面が動かず、そして面固定用ボルトが緩まないようにする。【解決手段】顔面を包み込むように形成された面体であって、該面体中央上部に遮光板の回動によって開閉自在に形成された覗き窓を備える溶接面において、該溶接面の上縁内側に水平に取着された湾曲形状のヘルメットつば嵌合金具と、該溶接面の上部両端外面に取着された、前記嵌合金具とヘルメットつばとの嵌合を固定化するための張着部材と、ならびに該溶接面の下縁両側対象位置に開設された孔に挿着された紐部材とからなる溶接面。【選択図】        図１ 
2005113292.tif 000002
【特許請求の範囲】
【請求項１】
溶接作業者の顔面を包み込むように形成された面体であって、該面体の外面中央上部に遮光板の回動によって開閉自在に形成された覗き窓を備える溶接面において、該溶接面の上縁内側に水平に取着された湾曲形状のヘルメットつば嵌合金具（以下、嵌合金具という）と、該溶接面の上部両端に取着された、嵌合金具とヘルメットつばとの嵌合を固定化するための張着部材と、および前記溶接面の下縁両側に開設された孔に挿着された紐部材と、からなることを特徴とする溶接面。
【請求項２】
前記嵌合金具が、湾曲形状内側中央に溝が開設され、該溝がヘルメットのつばの周長に一致し、該溝の深さと幅はヘルメットのつばとの嵌合に必要充分な深さと幅に形成された請求項１記載の溶接面。
【請求項３】
前記ヘルメットが、野球帽型ヘルメットである請求項１または２記載の溶接面。
【請求項４】
前記張着部材が、ゴム帯で形成された請求項１記載の溶接面。
【請求項５】
前記紐部材が、前記溶接面の下部を溶接作業者の首周りに繋ぎ止め、該紐部材の長さを調節可能に形成したものである請求項１記載の溶接面。
【請求項６】
前記溶接面が、FRP製およびまたは皮革（人工皮革を含む）製である請求項１記載の溶接面。
【発明の詳細な説明】
【技術分野】
【０００１】
本発明は、野球帽型ヘルメットに着脱可能かつ一体的に装着できる溶接面に関するものである。
【背景技術】
【０００２】
従来、溶接・溶断にはアーク溶接が用いられてきた。これは工作物と電極の間に電力を与えてアーク放電を起こさせ、発生した熱により溶接・溶断部を溶融して溶接・溶断する方法で、電極には一般に溶接棒が用いられる。アークは強い光線と共に紫外線や赤外線を多量に発生し、鉄粉やスパッターを四散させて眼疾や火傷などの障害を起こすので、人体特に顔面と眼の防護が必要となる。
【０００３】
アーク溶接時における人体、特に顔面と両眼の防護のため、各種溶接面が従来から用いられている。最も一般的なものが手持型で、これは溶接作業時片方の手に溶接面を持ち、他方の手に溶接棒を持って作業を行うので、作業中両手の自由が奪われる。これに対し、溶接面と頭部防護部材であるヘルメットと組み合わせたものがあり、これを用いれば作業中片方の手は自由となり作業効率は上がる。この場合、溶接面はヘルメットの両側、作業者の両耳上部に取り付けられた金具を介して回動自在に軸支され、作業終了もしくは必要に応じ溶接面を頭上に回動させる構成となる。作業再開には頭上状態から顔面防護の状態に回動させればよい。頭上状態および顔面防護の状態における溶接面の固定は、一般に溶接面とヘルメット間を連結するスプリングばねの張力による。
【０００４】
溶接面を回動自在にヘルメットに取着したものは、溶接面を回動させるためにヘルメットに比し横幅などの立体形状が大となる。ために、この種の溶接面では狭いところでの作業が苦しく、移動にも制限を受け、重いため頭や首の負担が大きく、そして逆さになっての作業では溶接面が動いてしまう欠点があった。特に、従来の溶接面の固定に使用するスプリングばねが、これをヘルメットに固定するボルトが使用を重ねると緩んでしまい、また締めすぎると溶接面を回動させて上下させるとき、余分な力を要し作業者の疲労を増す欠点があった。
【０００５】
この改善策として、溶接面を回動自在にヘルメットに取着することに替わり、野球帽型ヘルメットのつばに、溶接面上縁を一体固定的に嵌着させることにより、上述の欠点を取り除くこととしたのが本発明である。次の特許文献１ないし４は、何れも回動自在の溶接面に関する技術であり、特に特許文献３および４は回動自在溶接面における覗き窓の開閉に関するものである。従来技術の回動自在溶接面は、覗き窓開閉自在技術とすることにより、作業状況を視認するため、溶接面そのものをヘルメットへの軸支金具回りに回動させる必要がなく、覗き窓を開閉して作業状況を視認できるので、回動自在溶接面は過剰な要求規格となる。この点に着目し、溶接面自体の回動に替わり、覗き窓開閉自在技術を採用して、溶接作業性の向上を図ったのが本発明の溶接面である。
【特許文献１】特開平  １０−２３４７７１
【特許文献２】特開平  １１−２２５４７９
【特許文献３】特開平  ０９−０１０２５２
【特許文献４】特表平  ０８−５１００６６
【発明の開示】
【発明が解決しようとする課題】
【０００６】
解決しようとする問題点は、溶接面の立体形状を小さくして軽量小型化することにより、狭いところでの溶接作業が可能となり、移動にも制限を受けず、重いために頭や首にかける負担が小さく、逆さになって作業しても溶接面が動くことがなく、そして溶接面固定用スプリングばねを固定するボルトが緩んでしまう欠点を除去することである。
【課題を解決するための手段】
【０００７】
請求項１に係る発明は、溶接作業者の顔面を包み込むように形成された面体であって、該面体の外面中央上縁部に遮光板回動により開閉自在に形成された覗き窓を備える溶接面において、該溶接面の上縁内側に水平に取着された湾曲形状のヘルメット嵌合金具（以下、嵌合金具という）と、該溶接面の上部両端に取着された、前記嵌合金具とヘルメットとの嵌合を固定化するための張着部材と、ならびに該溶接面の下縁両側対象位置に開設された孔に挿着された紐部材と、からなる溶接面であることを要旨とする。
【０００８】
請求項２に係る発明は、前記嵌合金具が、湾曲形状内側中央線上に溝が開設され、該溝がヘルメットつばの周長に略同じで、かつ該溝の深さと幅はヘルメットつばとの嵌合に必要十分な深さと幅に形成された請求項１記載の溶接面であることを要旨とする。
【０００９】
請求項３に係る発明は、前記ヘルメットが、野球帽型ヘルメットである請求項１記載の溶接面であることを要旨とする。
【００１０】
請求項４に係る発明は、前記張着部材が、ゴム入り平織り長尺のテンシヨン部材である請求項１記載の溶接面であることを要旨とする。
【００１１】
請求項５に係る発明は、前記紐部材が、前記溶接面の下部を溶接作業者の首回りに繋ぎ止め、そして該紐部材の長さを調節可能に形成した請求項１記載の溶接面であることを要旨とする。
【００１２】
請求項６に係る発明は、前記溶接面が、合成樹脂製およびまたは皮革（人工皮革を含む）製である請求項１記載の溶接面であることを要旨とする。
【発明の効果】
【００１３】
本発明の溶接面は、溶接面を軽量小型化することができ、狭いところでの溶接作業が可能となり、移動にも制限を受けず、重さで頭や首にかける負担が小さくなり、逆さになって作業しても溶接面が動くことがなく、そして溶接面固定用スプリングばねを固定するボルトが緩む欠点がないから使い勝手がよく、耐久性があり、長寿命である。
【発明を実施するための最良の形態】
【００１４】
この発明の溶接面を具体化した最良の実施の形態について、以下図面を用いて説明する。
【実施例１】
【００１５】
図１は、本発明の溶接面１をヘルメット１１のつば１２に嵌着した状況を示す斜視図、図２は、本発明の溶接面１の実施例を示す正面図、図３は同平面図、図４は図同右側面図、図５は溶接面１の上縁内側に取着される嵌合金具３の平面図、そして図６は同正面図である。
【００１６】
図１は、野球帽型ヘルメット１１のつば１２の外周縁を、嵌合金具３の溝３１に嵌挿し、張着部材４のゴム帯を野球帽型ヘルメット１１に巻回させ、両部材を一体化した状況を示す。紐部材５の略中央付近に環固定用の、他方端部に長さ調節のための結び目５２が見え、そして面体２の下部両側には紐部材５を挿通するための孔５１が開設されている。
【００１７】
溶接面１は、合成樹脂製の面体２、嵌合金具３、張着部材４、および紐部材５により構成され、面体２の中央上部に覗き窓６が形成されている。面体２は、溶接作業者の顔面を防護する半円筒状で、下部が内側に湾曲し、上縁が水平に切断され、この上縁内側に金具３が取着される。湾曲状の嵌合金具３の内側に溝３１が形成され、溝３１は、作業者頭部用ヘルメット１１のつば１２の外縁を嵌合するに必要な深さ、幅および長さを有し、つば１２の外縁が溝３１に嵌合される。このままでは嵌合状態が緩み使用に耐えないので、長尺の張着部材４の両端を、面体２の上縁に取着し、つば１２と溝３１との嵌合状態のまま、ヘルメット１１に巻回させ、張着部材４の張力により嵌合状態を確実ならしめ、溶接面１とヘルメット１１を一体化する。張着部材４として、実施例１ではゴム帯を用いた。なお、溶接作業対象物によっては、溶接面１の下部が溶接作業者の身体から作業中離れる恐れがあるので、?ぎ止める要がある。そのため、面体２の下部両側に孔５１を開け、これらの孔５１に紐部材５を挿通して両端を結んで二重の輪を形成し、この輪の中に作業者の頭部を通し、溶接面１嵌着のヘルメット１１を作業者が装着したときに、紐部材５が作業者の首に巻装されるようにする。そのためには、一方の孔５１に紐部材５を挿通させ、二重環になるべき紐部材５の中央部付近を結んで、一方の孔５１側の長さを固定し、他方の孔５１に挿通する紐部材５の自由端の長さを不揃いにし、長い方の端を他方の孔５１に挿通して折り返し、作業者の体形に合わせ、短い方の端と結べば、作業者の体形に合った環が得られる。
【００１８】
面体２の中央上部に形成された覗き窓６は、つまみ６４を持って蝶番６３回りに遮光板６１を回動させることにより自在に開閉することができる。遮光板６１はスプリングばね６２を介し面体２に張着される。遮光板６１には不透明な色ガラス、液晶など上記特許文献等に記載された公知技術を用いる。面体２自体の回動をしない本発明の溶接面１においては、開閉自在な遮光板６１の採用は不可欠である。
【００１９】
図５および図６に見るように、嵌合金具３の平面形状は湾曲状で、湾曲の内側に溝３１が形成されている。この溝３１に、野球帽型ヘルメット１１のつば１２の外周縁が嵌挿される。溝３１の両端と中央の底部に、面体２の上縁にビス止め孔３２が開設されている。なお、ビス止めに先立ち、金具３と面体２との接合面は接着剤で接着しておくのが望ましい。
【００２０】
面体２は、合成樹脂製のほか、皮革（合成樹脂を含む）製で形成してもよい。合成樹脂製は剛性があるので形状は不変であるが、皮革製は剛性がないので形状は可変である。可変であるがために、狭い場所での作業でも障害とならず、作業性は向上する。
【産業上の利用可能性】
【００２１】
ヘルメットの両側に枢支して、溶接面そのものを回動させる従来方式のものに比し、本発明の溶接面は、小型に構成できるので、作業場所の制限を受けることが低減し、作業性が向上する。
【図面の簡単な説明】
【００２２】
【図１】溶接面１をヘルメット１１のつば１２に嵌着した状況を示す斜視図である。
【図２】本発明の溶接面１の実施例を示す正面図である。
【図３】本発明の溶接面１の実施例を示す平面図である。
【図４】本発明の溶接面１の実施例を示す右側面図である。
【図５】本発明の溶接面１の上縁内側に取着される嵌合金具３の平面図である。
【図６】本発明の溶接面１の上縁内側に取着される嵌合金具３の正面図である。
【符号の説明】
【００２３】
１    溶接面
２    面体
３    嵌合金具
４    張着部材（ゴム帯）
５    紐部材
６    覗き窓
１１  ヘルメット
１２  ヘルメット１１のつば
３１  溝
３２、５１  孔
５２  結び目
６１  遮光板
６２  スプリングばね
６３  蝶番
６４  つまみ
【図１】
2005113292.tif 000003
【図２】
2005113292.tif 000004
【図３】
2005113292.tif 000005
【図４】
2005113292.tif 000006
【図５】
2005113292.tif 000007
【図６】
2005113292.tif 000008